(57)【要約】【課題】ダイクロイックミラーを用いることなく、且つ簡便な構成からなる眼科装置を提供する。【解決手段】被検眼で測定光を走査する走査手段と、対物レンズを介して測定光を照射した被検眼からの戻り光を検出する検出手段と、被検眼の固視を促す固視標を表示する固視標表示手段と、固視標を対物レンズの光軸と平行な方向に反射する固視標反射手段と、を有する眼科装置において、固視標反射手段は、走査手段の反射面が測定光を走査する際の走査中心にある時に、固視標反射手段の反射面と同一平面内となるように配置される。【選択図】図１
2017104319.tif 000002
【特許請求の範囲】
【請求項１】
被検眼で測定光を走査する走査手段と、
対物レンズを介して前記測定光を照射した前記被検眼からの戻り光を検出する検出手段と、
前記被検眼の固視を促す固視標を表示する固視標表示手段と、
前記固視標を前記対物レンズの光軸と平行な方向に反射する固視標反射手段と、を有し、
前記固視標反射手段は、前記走査手段の反射面が前記測定光を走査する際の走査中心にある時に、前記固視標反射手段の反射面と同一平面内となるように配置されることを特徴とする眼科装置。
【請求項２】
前記固視標反射手段は前記走査手段の反射面の周りに配置される第二の反射面を有し、前記走査手段が前記固視標を反射して前記走査を行う反射面の回転軸は前記第二の反射面と同一平面内に配置されることを特徴とする請求項１に記載の眼科装置。
【請求項３】
前記固視標表示手段から前記固視標反射手段に前記固視標を投影する光軸と、前記測定光を前記反射面に導く光軸とは平行であって、
前記固視標表示手段は液晶表示パネルからなり、前記測定光は前記液晶表示パネルにおける任意の位置から前記反射面に導かれることを特徴とする請求項１又は２に記載の眼科装置。
【請求項４】
被検眼で測定光を走査する走査手段と、
対物レンズを介して前記測定光を照射した前記被検眼からの戻り光を検出する検出手段と、
前記被検眼の固視を促す固視標を表示する固視標表示手段と、
前記固視標を前記対物レンズの光軸と平行な方向に反射する固視標反射手段と、を有し、
前記固視標反射手段は前記対物レンズの光軸上の前記被検眼に対して前記走査手段より遠い位置に配置された全反射ミラーであり、
前記走査手段は前記光軸上に配置されて、前記固視標反射手段に反射された前記固視標の一部を遮ることを特徴とする眼科装置。
【請求項５】
被検眼で測定光を走査する走査手段と、
対物レンズを介して前記測定光を照射した前記被検眼からの戻り光を検出する検出手段と、
前記被検眼の固視を促す固視標を表示する固視標表示手段と、
前記固視標を前記対物レンズの光軸と平行な方向に反射する固視標反射手段と、を有し、
前記固視標反射手段は、前記対物レンズの光軸上の前記被検眼に対して前記走査手段より近い位置に配置された穴あきミラーであり、
前記穴開きミラーの穴は、前記走査手段が前記測定光を走査した際に前記測定光をけらない大きさの前記測定光が通過又は透過することを特徴とする眼科装置。
【請求項６】
前記走査手段は、前記測定光を一軸方向に走査するポリゴンミラー又はガルバノミラーからなることを特徴とする請求項５に記載の眼科装置。
【請求項７】
前記走査手段は、前記固視標反射手段と一体的に構成された微小電気機械システムミラーからなることを特徴とする請求項１乃至３の何れか一項に記載の眼科装置。
【請求項８】
前記走査手段が前記測定光を反射して前記走査を行う反射面に直交する面内において、前記固視標表示手段から前記固視標を反射する領域に前記固視標を投影する際の入射角が、前記反射面に反射される前記固視標が前記対物レンズを介して前記被検眼に導かれない角度となるように前記反射面が配置されることを特徴とする請求項１乃至７の何れか一項に記載の眼科装置。
【請求項９】
前記固視標表示手段から前記固視標反射手段に前記固視標を投影する光軸と、前記測定光を前記反射面に導く光軸とは平行であることを特徴とする請求項１又は２に記載の眼科装置。
【発明の詳細な説明】
【技術分野】
【０００１】
本発明は、被検眼を撮像する眼科装置に関する。
【背景技術】
【０００２】
近年、低コヒーレンス光による干渉を利用して断層画像を撮像する光干渉断層法（ＯＣＴ：Ｏｐｔｉｃａｌ  Ｃｏｈｅｒｅｎｃｅ  Ｔｏｍｏｇｒａｐｈｙ）を用いる装置（以下、ＯＣＴ装置とも呼ぶ。）が実用化されている。ＯＣＴ装置は、被検査物に入射する光の波長程度の分解能で断層画像を撮像できるため、被検査物の断層画像を高分解能で得ることができる。このため、該ＯＣＴ装置は、特に、眼底に位置する網膜の断層画像を得るための眼底検査装置として有用とされる。該ＯＣＴ装置では、眼底の複数箇所から断層画像を得るために測定光である低コヒーレンス光を眼底上で走査する態様が多く用いられている。
【０００３】
一方、眼底の画像を取得する装置として、走査型レーザー検眼鏡（ＳＬＯ：Ｓｃａｎｎｉｎｇ  Ｌａｓｅｒ  Ｏｐｈｔｈａｌｍｏｓｃｏｐｅ、以下ＳＬＯ装置とも呼ぶ。）も知られている。該ＳＬＯ装置は、眼底上でレーザー光を走査して、ピンホールなどを通じてその反射光を検出する。その際に共焦点光学系を用いることによって、眼底を高コントラストで観察することを可能としている。該ＳＬＯ装置も、ＯＣＴ装置と同じく眼底の状態を観察するのに有用な装置として用いられる。
【０００４】
一方、一般的にＯＣＴ装置およびＳＬＯ装置は測定光の眼底での走査を基本としており、撮像時間が比較的長い。そこで、撮像時間中、具体的には数秒程度被検者が特定の位置を注視した固視状態を出来るだけ長く安定させたいために、撮像の開始に対応する測定光の走査開始と同時に固視灯を眼底に投影することが重要となる。ＯＣＴ装置、或いはＳＬＯ装置では、固視灯として二次元マトリックスのＬＣＤ（Ｌｉｑｕｉｄ  Ｃｒｙｓｔａｌ  Ｄｉｓｐｌａｙ）パネルが用いられる。固視灯を注視させて所望の位置に測定光を照射するという固視灯の眼底への投影の重要性に鑑み、このＬＣＤパネルからの固視灯光の光路を測定光光路と同一にさせることが好ましい。このため、走査手段であるガルバノミラーより被検眼に近い側にダイクロイックミラーを設けて固視灯像を眼底に投影する。ここで、ＯＣＴ装置或いはＳＬＯ装置で用いる測定光は赤外領域（不可視あるいはほぼ不可視）の光であることが多く、固視灯は可視のため緑などの波長のものを用いることが多い。各々の光の波長分離の容易さと測定光の反射光を効率よく受光することが可能との理由から、前述したように各々の光路の分離或いは同一化にはダイクロイックミラーが用いられる。特許文献１には、走査手段により走査される測定光と固視灯とを同一光路として被検眼に導くために、ダイクロイックミラーを用いて光路を合せるＯＣＴ装置が記載されている。
【先行技術文献】
【特許文献】
【０００５】
【特許文献１】特開２００９−２７９０３１号公報
【発明の概要】
【発明が解決しようとする課題】
【０００６】
ここで、ダイクロイックミラーは透明な基材の鏡面に誘電体薄膜の多層膜を形成することで得られる複雑な構成を有するため、高価であり且つ形状等の制約も存在する。このため、眼科装置のコストを下げるために、その使用をできるだけ控えることが望ましい。
【０００７】
本発明の目的の一つは、このような課題に鑑みて為されたものであって、走査手段により走査される測定光の光路と固視灯の光路とを同一光路として被検眼に導くためのダイクロイックミラーを用いることなく、これらの光路を同一光路として被検眼に導くための簡便な光学系で構成される眼科装置を提供する。
【課題を解決するための手段】
【０００８】
上述した課題に鑑みて本発明の眼科装置は、
被検眼で測定光を走査する走査手段と、
対物レンズを介して前記測定光を照射した前記被検眼からの戻り光を検出する検出手段と、
前記被検眼の固視を促す固視標を表示する固視標表示手段と、
前記固視標を前記対物レンズの光軸と平行な方向に反射する固視標反射手段と、を有し、
前記固視標反射手段は、前記走査手段の反射面が前記測定光を走査する際の走査中心にある時に、前記固視標反射手段の反射面と同一平面内となるように配置されることを特徴とする。
【発明の効果】
【０００９】
本発明によれば、走査手段により走査される測定光の光路と固視灯の光路とを同一光路として被検眼に導くためのダイクロイックミラーを用いることなく、これらの光路を同一光路として被検眼に導くための簡便な光学系で構成される眼科装置を提供することができる。
【図面の簡単な説明】
【００１０】
【図１】本発明の実施例における眼底検査装置の光学構成を説明する図である。
【図２】本発明の実施例における眼底検査装置を説明する図である。
【図３】穴開きミラーと走査手段との位置関係を説明する図である。
【図４】走査手段と穴開きミラーとを一体とした例を説明する図である。
【図５】固視灯と測定光出射部を略同軸とする例を説明する図である。
【図６】本発明における穴開きミラーと走査手段との位置関係の他の例を説明する図である。
【発明を実施するための形態】
【００１１】
以下、本発明の実施例について、図面を参照して説明する。なお、以下の実施例は特許請求の範囲に関わる本発明を限定するものではなく、また、以下の実施例で説明されている特徴の組み合わせの全てが本発明の解決手段に必須のものとは限らない。
【実施例１】
【００１２】
本実施例における眼底検査装置においては、簡便な構成で固視灯の眼底投影を可能とする。以下に、該眼底検査装置の構成について、項目別としてその各々について説明する。
【００１３】
（装置の概略構成）
本実施例における眼底検査装置の概略構成について図２を用いて説明する。
【００１４】
図２は、眼底検査装置２００の側面図である。眼底検査装置は、光学ヘッド９００、ステージ部９５０、ベース部９５１、顎受け部３２３、制御部９２５、記憶部９２６、モニタ９２８、および入力部９２９を有する。光学ヘッド９００は、被検眼の前眼部および眼底各々の二次元像並びに断層画像を撮像するための測定光学系である。ステージ部９５０は、光学ヘッド９００を支持し、不図示のモータを用いて該光学ヘッド９００を図中ｘｙｚ方向に移動可能とする。ベース部９５１はステージ部９５０を支持すると共に、後述の分光器を内蔵する。
【００１５】
制御部９２５は、ステージ部の制御部として例えばパソコンより構成され、ステージ部９５０の制御と共に後述する断層画像の構成等を行う。記憶部９２６は、被検者情報の記憶部として機能し、同時に断層撮像用のプログラムなどを記憶し、ハードディスクより構成される。モニタ９２８は表示部として断層画像等を表示し、入力部９２９はパソコンへの指示等を入力する際に用いられ、具体的にはキーボードとマウスとから構成される。顎受け部３２３はあご台であり、被検者のあごと額とを固定することで、被検者の眼（被検眼）の位置の固定を促す。
【００１６】
（測定光学系および分光器の構成）
次に、光学ヘッド９００に内蔵される本実施例の測定光学系および分光器の構成について図１（ａ）を用いて説明する。
【００１７】
光学ヘッド９００において、被検眼１０７に対向して対物レンズ１３５−１が配置されている。該対物レンズ１３５−１は、後述する測定光および固視灯光を被検眼１０７の眼底に合焦可能とされており、被検眼の屈折力に合せた固視灯光の投影を可能とする。対物レンズ１３５−１から見て被検眼１０７の反対側であって、該対物レンズ１３５−１と被検眼１０７とを通る光路３５３上には、測定光を眼底上で走査するための光偏向器としてのＸＹスキャナ１００２が配置される。なお、同図においてＸＹスキャナ１００２は一枚のミラーとして図示してあるが、測定光をｘ軸とｙ軸との２軸方向の走査を行うものである。ＸＹスキャナ１００２に対して光路３５３の反射方向である光路３５１は、ＯＣＴ光学系の光路を成しており、被検眼１０７の眼底の断層画像を撮像する測定光の光路を構成する。より具体的には、当該光路３５１は、被検眼眼底等の断層画像を形成するための干渉信号を得るために用いられる。
【００１８】
ＸＹスキャナ１００２に向けて光路３５１に測定光を射出するファイバー端１３１−５と該ＸＹスキャナ１００２との間にはレンズ１３５−６が配置される。該レンズ１３５−６は、ファイバー端１３１−５から出射された測定光を対物レンズ１３５−１と共に被検眼１０７の不図示の瞳位置に導き、且つ該測定光を被検眼１０７の眼底に結像するように構成される。即ち、レンズ１３５−６は測定光を平行光としてＸＹスキャナ１００２に導く。
【００１９】
次に、光源１０１からの光路と参照光学系、分光器の構成について説明する。本実施例において、測定光と参照光とを得る光は光源１０１より射出される。光源１０１より射出された光は光ファイバー１３１−１により光カプラー１３１に導かれ、該光カプラー１３１により参照光と測定光とに分割される。なお、光ファイバー１３１−１は他の光ファイバー１３１−２〜４と共に光カプラー１３１に接続されて一体化されているシングルモードの光ファイバーである。
【００２０】
参照光学系は、ミラー１３２、濃度フィルター１１６、およびレンズ１３５−７を有し、光カプラー１３１より得られた参照光が光ファイバー１３１−３より導かれる。光カプラー１３１および付随するこれら構成は、分光器１８０を含めてマイケルソン干渉計を構成している。
【００２１】
測定光は光ファイバー１３１−２により前述のＯＣＴ光学系の光路３５１に導かれ、該光路３５１を通じ、観察対象である被検眼１０７の眼底に照射される。照射された測定光は、網膜による反射や散乱により同じ光路を通じて戻り光として戻り、ファイバー端１３１−５より光ファイバー１３１−２に入射して光カプラー１３１に到達する。
【００２２】
一方、参照光は光ファイバー１３１−３、濃度フィルター１１６、レンズ１３５−７を介してミラー１３２に到達し反射される。そして同じ光路を戻り、光ファイバー１３１−３を介して光カプラー１３１に到達する。
【００２３】
光カプラー１３１によって、測定光（戻り光）と参照光とは合波され干渉光となる。濃度フィルター１１６で参照光は減光されるが、参照光と平均的な測定光との比および後述するラインセンサの感度などでその減光比が決定されている。また、測定光の光路長と参照光の光路長がほぼ同一となったときにお互いの光において干渉を生じる。このため、ミラー１３２は不図示のモータおよび駆動機構によって光軸方向に位置調整可能に保持され、被検眼１０７によって変わる測定光の光路長に参照光の光路長を合わせることが可能である。干渉光は光ファイバー１３１−４を介して分光器１８０に導かれる。
【００２４】
なお、光ファイバー１３１−２中には、測定光側の偏光調整部１３９−１が設けられる。また、光ファイバー１３１−３中には、参照光側の偏光調整部１３９−２が設けられる。これらの偏光調整部は光ファイバーをループ状に引き回した部分を幾つか持ち、このループ状の部分をファイバーの長手方向を中心として回動させることでファイバーに捩じりを加える。これにより測定光と参照光の偏光状態を各々調整して合わせることが可能となる。本装置ではあらかじめ測定光と参照光の偏光状態が調整されて固定されている。
【００２５】
分光器１８０は、レンズ１３５−８、１３５−９、回折格子１８１、およびラインセンサ１８２から構成される。
【００２６】
光ファイバー１３１−４から出射された干渉光はレンズ１３５−８を介して平行光となった後、回折格子１８１で分光され、レンズ１３５−９によってラインセンサ１８２上に結像される。
【００２７】
次に、光源１０１の周辺について説明する。本実施例では、光源１０１には代表的な低コヒーレンス光源であるＳＬＤ（Ｓｕｐｅｒ  Ｌｕｍｉｎｅｓｃｅｎｔ  Ｄｉｏｄｅ）を用いている。射出される光の中心波長は８５５ｎｍ、波長バンド幅は約３０ｎｍである。ここで、バンド幅は、得られる断層画像の光軸方向の分解能に影響するため、重要なパラメータである。また、光源の種類は、ここではＳＬＤを選択したが、低コヒーレンス光が出射できればよく、ＡＳＥ（Ａｍｐｌｉｆｉｅｄ  Ｓｐｏｎｔａｎｅｏｕｓ  Ｅｍｉｓｓｉｏｎ）等も用いることができる。中心波長は眼底を測定することを鑑みると、近赤外光が適する。また、中心波長は得られる断層画像の横方向の分解能に影響するため、なるべく短波長であることが望ましい。双方の理由から中心波長を８５５ｎｍとした。
【００２８】
なお、本実施例では干渉計としてマイケルソン干渉計を用いたが、マッハツェンダー干渉計を用いてもよい。測定光と参照光との光量差に応じて、光量差が比較的大きい場合にはマッハツェンダー干渉計を、光量差が比較的小さい場合にはマイケルソン干渉計を用いることが望ましい。
【００２９】
（固視光学系）
固視灯１７１は発光部を二次元的マトリックス状に備えたＬＣＤパネル、即ち液晶表示パネルより構成されており、固視灯の光路３５２に対して略垂直に配置されている。該光路３５２は、測定光の光路３５１に対して、ＸＹスキャナ１００２の回転中心の近傍を中心として角度をつけられて、互いに異なる入射角となるように配置されている。この光路３５２上にはレンズ１３５−１０が配置されている。一方で、ＸＹスキャナ１００２の反射面の外側には、測定光と固視灯光を瞳分割する穴開きミラー１００１が備えられている。固視灯光はこのレンズ１３５−１０により平行光として穴開きミラー１００１に導かれる。このレンズ１３５−１０の存在により、対物レンズ１３５−１による固視灯光の被検眼眼底に対する合焦状態を測定光の合焦状態と同じとすることが可能となる。即ち、固視に際して被検者に明瞭な固視標を提示することが可能となる。上述した、固視灯１７１は、本実施例において、被検眼の固視を促す固視標を表示する固視標表示手段を構成する。
【００３０】
この穴開きミラー１００１の構成について図３（ａ）によって説明する。穴開きミラー１００１は、開口部１００１ａと固視灯反射面１００１ｂを備えている。ＸＹスキャナ１００２はこの開口部１００１ａ内に配置されており、開口部１００１ａはＸＹスキャナ１００２の反射面よりも大きくなっている。また、図１（ａ）に示す通り、穴開きミラー１００１の固視灯反射面１００１ｂは、対物レンズ１３５−１の光軸である光路３５３に対して固視灯１７１からの固視灯光を導くような角度を維持するように配置されている。この構成により、構成が複雑なダイクロイックミラーを用いずとも固視灯１７１から出射される固視灯光はレンズ１３５−１０、固視灯反射面１００１ｂおよび対物レンズ１３５−１を介して眼底に投影される。これにより固視灯１７１を被検者が固視（注視）することができる。
【００３１】
ここで、ＸＹスキャナ１００２について図４を用いて説明する。本実施例においては、ＸＹスキャナ１００２としてＭＥＭＳ（Ｍｉｃｒｏ  Ｅｌｅｃｔｒｏ  Ｍｅｃｈａｎｉｃａｌ  Ｓｙｓｔｅｍ）ミラーを用いている。該ＭＥＭＳミラーでは、ｘ方向回転軸１００２ａおよびｙｍ方向回転軸１００２ｂを備え、ミラー面が一つでありながらｘｙ平面での二次元走査ができる。ＭＥＭＳミラーは半導体プロセスで一体に形成できるものであり、穴開きミラー１００１もＭＥＭＳミラーと一体として構成できる。具体的にはＭＥＭＳミラーの外周部に設けられる各回転軸１００２ａおよび１００２ｂの更に外側に、固視灯反射面１００１ｂを同じく半導体プロセスにて形成している。これにより、ＭＥＭＳミラーの外側に実質的に穴開きミラーとしての機能を持たせた反射面を得ている。本実施例において、該ＭＥＭＳミラーは、固視標反射手段と一体的に構成された微小電気機械システムミラーとして機能する。
【００３２】
なお、図１（ａ）に示す実施例では、ｘ方向のＸＹスキャナ１００２の偏向角中心（中心位置で対物レンズ光軸中心に測定光を導く）位置での面法線と固視灯反射面１００１ｂの面法線とに角度を設けている。即ち、ＸＹスキャナ１００２のｘ方向の回転軸１００２ａ周りにＸＹスキャナ１００２を回動させた場合の回動範囲の中心となる際の該ＸＹスキャナ１００２の反射面と、固視灯反射面１００１ｂとが所定の角度を成す角度位置を偏向角中心とする。換言すれば、ＸＹスキャナ１００２の静止位置にある状態で、固視灯反射面１００１ｂがこのＸＹスキャナ１００２に対して略平行からオフセットをかけた角度位置となるように固視灯反射面１００１ｂの配置を決定している。
【００３３】
なお、本実施例では固視灯反射面１００１ｂを半導体プロセスでＭＥＭＳミラーと一体で製作するとした。しかし、実際に穴の開いたミラーを穴開きミラー１００１として用いることとし、この穴の部分にＸＹスキャナ１００２を配置してもよい。この実施例の場合、固視灯反射面１００１ｂはＸＹスキャナ１００２の反射面の周りに配置される。スキャナ１００２の反射面に対して、この固視灯反射面１００１ｂは第二の反射面として把握される。そして該反射面を回動させる際の回転軸、即ち前述した回転軸はこの第二の反射面と同一平面内に配置される。
【００３４】
しかし、この反射面と第二の反射面との配置は同一平面内に限定されない。例えば、図１（ｂ）或いは部分的に拡大して示す図６のように配置することも可能である。図１（ｂ）は図１（ａ）と同じ様式に本構成を示す光学系の概略図である。また、図６は穴開きミラー１００１とＸＹスキャナ１００２とを側面から見た状態を示し、同図においてはこれら構成の紙面左側に被検眼１０７と固視灯の光路３５２と測定光の光路３５１、即ち固視灯１７１が配置される。当該態様においては、固視灯反射面１００１ｂ（穴開きミラー１００１）は、対物レンズ１３５−１の光軸をＸＹスキャナ１００２に係わらず延長した場合の光軸上であって、被検眼１０７に対してＸＹスキャナ１００２より後ろ側、換言すれば遠い側の位置に配置される。なお、該穴あきミラー１００１は、全反射ミラーであることが好ましい。この場合、被検眼１０７に導かれる固視灯光は、ＸＹスキャナ１００２によって一部が遮られ、該ＸＹスキャナ１００２の外側の光路を介して被検眼に導かれる。従って、固視灯反射面１００１ｂとＸＹスキャナ１００２とのｚｍ方向の距離、およびＸＹスキャナ１００２の外形或いは大きさは、固視灯反射面１００１ｂにより反射された固視灯光がＸＹスキャナ１００２によりけられない条件を満たすように決められる。
【００３５】
また、反射面と第二の反射面との配置はこの場合の逆とすることも可能である。この場合の形態を図１（ｃ）に示す。即ち、固視灯反射面１００１ｂ（穴開きミラー１００１）は、対物レンズ１３５−１の光軸上であって、被検眼１０７に対してＸＹスキャナ１００２より前側に配置される。この場合、固視灯反射面１００１ｂとＸＹスキャナ１００２とのｚｍ方向の距離、および開口部１００１ａの外形或いは大きさは、ＸＹスキャナ１００２により走査される測定光が穴開きミラー１００１によりけられない条件を満たすように決められる。ＸＹスキャナ１００２はこの開口部１００１ａを介して対物レンズ１３５−１に測定光を導く。
【００３６】
なお、この測定光が通過する開口部１００１ａは、ガラス板等の測定光を透過する領域により構成することも可能である。この場合、穴開きミラー１００１として、少なくとも測定光を透過するガラス板に対してクロム蒸着等の手法によって固視灯反射面１００１ｂを形成したものを実質的な穴開きミラーとして用いる。
【００３７】
以上述べたように、本発明においては、固視灯反射面１００１ｂは、固視灯光を対物レンズ１３５−１の光軸と平行な方向に反射して被検眼に導く。また、ＸＹスキャナ１００２により偏向された測定光と反射された固視灯光とが互いにけられることがないように、ＸＹスキャナ１００２と穴開きミラー１００１との位置関係が決定される。またその配置の決定に際しては、固視灯反射面１００１ｂによって反射された固視灯光が、ＸＹスキャナ１００２によって偏向された測定光の光路の外側にその光路が形成されることも必須となる。より詳細には、ＸＹスキャナ１００２の走査中心と一致する軸即ち測定光の光軸と、穴開きミラー１００１により反射される固視灯光の光軸とは略一致する。また、被検眼１０７から見た場合、測定光が通る領域は測定光の光軸周りとなり、被検眼の固視を促すために被検眼に導かれる固視灯光が通る領域はこの測定光の通る領域に対して光軸からより遠い位置となる。この場合、固視灯光の光路は測定光の光路の周り或いは外側に配置されることとなる。
【００３８】
なお、本実施例ではＸＹスキャナ１００２の全周に固視灯反射面１００１ｂが形成されているが、例えば固視灯反射面１００１ｂがコの字型となる等、部分的に反射面が存在しない形態とすることも可能である。この場合には、固視灯光の光路は測定光の光路の周囲ではなく外側、或いは周りにおいて部分的に配置されることとなる。
なお、本発明では、ＸＹスキャナ１００２は測定光を偏向させる共に、該ＸＹスキャナ１００２に入射する固視灯光も偏向させる。例えば測定光と固視灯光との光路を同一とするためにダイクロイックミラーを用いた場合、測定光の走査手段は固視灯光とはダイクロイックミラーにより分離された光路上に互いに配されることとなる。従って、該ダイクロイックミラーを用いた構成では、走査手段による固視灯光の偏向は起こり得ない。
【００３９】
なお、以上に述べたＸＹスキャナ１００２に例示され、反射面を回動して反射された測定光を偏向させ、対物レンズ１３５−１を介して被検眼１０７で測定光を走査する構成は、本発明における走査手段に対応する。上述したラインセンサ１８２等の干渉信号を得る構成および該干渉信号から断層画像を生成する制御部９２５は、被検眼の画像を取得する画像取得手段に対応する。固視灯１７１は、被検眼の固視を促す固視標を表示する固視灯表示手段に対応し、固視灯光は固視灯表示手段より投影される固視標に対応する。また、穴開きミラー１００１は、本発明における固視標反射手段の一態様を構成する。該固視標反射手段は、固視灯光を対物レンズ１３５−１の光軸と平行な方向に反射して該固視灯光を被検眼に導く。また、ＸＹスキャナ１００２により偏向された測定光と該固視標反射手段により反射された固視灯光とが互いにけられることがないように、ＸＹスキャナ１００２に対して固視灯表示手段が配置される。同時に、偏向された測定光の光路の外側に反射された固視灯光が光路を形成される。
【００４０】
（断層画像の撮像方法）
次に、眼底検査装置２００を用いた断層画像の撮像方法について説明する。眼底検査装置２００はＸＹスキャナ１００２を制御することで、被検眼１０７の眼底における所望部位の断層画像を撮像することができる。
【００４１】
まず、図１（ａ）中のＯＣＴ測定系の光路３５１を介して、光源１０１より得られる測定光を被検眼１０７に導く。その際、ＸＹスキャナ１００２を図中ｘ方向の回転軸周りに回転させて測定光の走査を行い、眼底におけるｙ方向の撮像範囲から所定の撮像本数の情報をラインセンサ１８２で取得する。ｙ方向のある位置で得られるラインセンサ１８２上の輝度分布をＦＦＴ（高速フーリエ変換）により処理する。
【００４２】
この、ＦＦＴで得られた線状の輝度分布をモニタ９２８に示すために濃度あるいはカラー情報に変換したものをＡスキャン画像と呼ぶ。この複数のＡスキャン画像をｙ方向に並べた２次元の画像をＢスキャン画像と呼ぶ。１つのＢスキャン画像を構築するための複数のＡスキャン画像を撮像した後、ｙ方向に直交するｘ方向にスキャン位置を移動させ、その後再びｙ方向のスキャンを行うことにより、複数のＢスキャン画像を得る。複数のＢスキャン画像、あるいは複数のＢスキャン画像から構築した３次元断層画像をモニタ９２８に表示することで検者が被検眼の診断に用いることができる。
【００４３】
なお、上述した実施例では、ｘ軸周りにおけるＸＹスキャナ１００２の偏向角中心（中心位置で対物レンズ光軸中心に測定光を導く）と固視灯反射面１００１ｂに角度を設けている例を示した。しかし本発明はこの実施例に示した構成に限定されず、その角度をほぼ無い状態、つまり光路３５１と光路３５２とを同軸とするようにも構成可能である。
【００４４】
その場合の固視灯１７１とファイバー端１３１−５との位置関係を図５に示す。図５は固視灯１７１をＸＹスキャナ１００２方向から見た正面図を示している。図５に示すように、固視灯１７１は、基板１７１ｃ上に二次元マトリックス状に配置されるＬＥＤチップで構成される発光部１７１ａを備えている。また、基板１７１ｃ上のそのマトリックス中心近傍に孔部１７１ｂを設け、その孔部１７１ｂに測定光のファイバー端１３１−５を配置させることで、光路３５１と光路３５２とをほぼ同軸としている。この場合、本実施例では固視標表示手段は液晶表示パネルからなり、測定光は該液晶表示パネルにおける任意の位置から反射面に導かれることとなる。
【００４５】
また、上述した実施例では、測定光による眼底走査のための光偏向器としてＸＹスキャナを用いている。しかし、本発明は二次元走査に限定されず、これを一次元走査を行う態様としてＢスキャンができるようにすることで、より構成が単純化した装置とすることも可能である。この場合、走査手段を固視灯反射面の後ろに配置することで、上述したＭＥＭＳスキャナだけでなく、ポリゴンミラーあるいはガルバノミラーの使用が可能である。この場合、これらミラーは、本実施例において、走査手段として測定光を一軸方向に走査する。
【実施例２】
【００４６】
本実施例においては、光偏向器の反射面と穴開きミラーの角度関係だけが前述した実施例１との相違点であり、以下ではこの点のみについて説明する。なお、その他構成は実施例１のものと同様のため、必要に応じて実施例１で用いた符号も使用して説明を行うこととし、重複する説明は省略する。
【００４７】
以下、本実施例の光偏向器の反射面と穴開きミラーの角度関係について、図３（ｂ）を用いて説明する。実施例１においてはｘ軸周り（ｙｍ−ｚｍ平面内）において、ＸＹスキャナ１００２の中心位置での法線と、固視灯反射面１００１ｂの法線とが所定の角度を有するように配置され、各々の法線は他の平面内では一致していた。これに対して、本実施例では、ｙｍ軸周り（ｘ−ｚｍ平面内）において、ＸＹスキャナ１００２の中心位置での法線に対して、固視灯反射面１００１ｂの法線がその他の所定角度を有するように配置されている。
【００４８】
これによって、固視灯１７１から出射された光のうち、固視灯反射面１００１ｂによって反射される光Ｌｉｆ−１および光Ｌｉｆ−３は光路３５３の光軸と略平行となって対物レンズ１３５−１によって眼底上固定された像として結像される。また、ＸＹスキャナ１００２入射する固視灯光Ｌｉｆ−２は光路３５３の光軸に対して角度を設けられた状態で反射する。この角度はＸＹスキャナ１００２がｙｍ軸で測定光を走査する偏向角範囲で反射面が回転しても不図示の被検眼の瞳に固視灯光Ｌｉｆ−２が入射しないように構成されている。即ち、ＸＹスキャナ１００２の回動を行う面に直交する面内において、固視灯１７１から射出された光を反射する領域に該光を投影する際の入射角が、反射面により反射される固視灯光が対物レンズを介して被検眼に導かれない角度となるように該反射面が配置される。
【００４９】
よって、ＸＹスキャナで偏向される固視灯光を被検者は見ることが無く、被検者はより固視灯１７１からの光を安定して見ることが可能である。
【産業上の利用可能性】
【００５０】
上述した実施例では、本発明を眼底検査に用いるＯＣＴ装置に適用した場合を例として説明したが、干渉計、分光器の無い構成でＳＬＯ装置としても本発明の効果は同様である。即ち、被検眼の固視を促した状態で測定光を走査する形態の種々の眼科装置に対して、本発明を適用することが可能である。また、取得する画像は眼底に限らず、前眼部等、眼の種々の部位の画像を取得することとしても良い。
【符号の説明】
【００５１】
１０１  光源
１３１  光カプラー
１３２  ミラー
１７１  固視灯
１８０  分光器
２００  眼底検査装置
９００  光学ヘッド
９２５  パソコン
９２６  ハードディスク
９２８  モニタ
９５０  ステージ部
９５１  ベース部
３５１  測定光路
３５２  光路
３５３  対物レンズ光軸
１００１  穴開きミラー
１００１ｂ  固視灯反射面
１００２  ＸＹスキャナ
【図１】
2017104319.tif 000003
【図２】
2017104319.tif 000004
【図３】
2017104319.tif 000005
【図４】
2017104319.tif 000006
【図５】
2017104319.tif 000007
【図６】
2017104319.tif 000008